(57)【要約】【課題】動画撮影中に静止画撮影に関する機能を操作する際にブレが生ずることを防止したデジタルカメラを提供する。【解決手段】デジタルカメラ１を、被写体の画像を取得する撮像素子部１０と、撮像素子部１０の出力に基づいて、動画データを生成する動画処理部２０と、動画処理部２０による動画データの生成と同時に、撮像素子部１０の出力に基づいて、静止画データを生成する静止画処理部３０と、近接センサ又は接触センサ５１，５２，６１，６２を融資、動画処理部２０の動画データ生成中に使用される所定の機能が設定されたスイッチ５０，６０とを備える構成とする。【選択図】図２
2006129339.tif 000002
【特許請求の範囲】
【請求項１】
被写体の画像を取得する撮像素子部と、
前記撮像素子部の出力に基づいて、動画データを生成する動画処理部と、
前記動画処理部による前記動画データの生成と同時に、前記撮像素子部の出力に基づいて、静止画データを生成する静止画処理部と、
近接センサ又は接触センサを有し、前記動画処理部の前記動画データ生成中に使用される所定の機能が設定されたスイッチと
を備えるデジタルカメラ。
【請求項２】
請求項１に記載のデジタルカメラにおいて、
前記スイッチは、前記動画データの生成中に静止画データを生成する際に操作される静止画用のレリーズスイッチであること
を特徴とするデジタルカメラ。
【請求項３】
請求項２に記載のデジタルカメラにおいて、
前記レリーズスイッチは、隣接して配置された複数の近接センサ又は接触センサを有し、入力を検出した近接センサ又は接触センサの数に応じて、前記静止画データを生成する機能と、異なった機能とがそれぞれ設定されていること
を特徴とするデジタルカメラ。
【請求項４】
請求項２又は請求項３に記載のデジタルカメラにおいて、
前記レリーズスイッチは、手持ちによる正位置撮影時に、撮影者が把持するグリップ部の表面、又は、その近傍する領域に配置されていること
を特徴とするデジタルカメラ。
【請求項５】
請求項２から請求項４までのいずれか１項に記載のデジタルカメラにおいて、
前記レリーズスイッチは、正位置撮影時に前記デジタルカメラをその撮影用レンズ群の対物レンズ側からみたときに、前記対物レンズの光軸中心よりも上方かつ左側の領域であり、かつ、カメラボディの対物側、撮影者側、上面側の少なくとも１つの面部に配置されていること
を特徴とするデジタルカメラ。
【請求項６】
請求項１から請求項５までのいずれか１項に記載のデジタルカメラにおいて、
前記スイッチの表面又は前記スイッチの周辺部に、凸部、凹部の少なくとも一方を形成したこと
を特徴とするデジタルカメラ。
【発明の詳細な説明】
【技術分野】
【０００１】
本発明は、動画の撮影中に静止画を撮影するデジタルカメラに関するものである。
【背景技術】
【０００２】
デジタルカメラにおいて、動画の撮影中に並行して静止画を撮影できるようにしたものが知られている。
例えば、動画の撮影中に静止画を撮影するカメラにおいて、その静止画用レリーズスイッチを半押しした状態で静止画を表示画面に表示し、全押しした状態で静止画を記録するようにしたものが知られている（例えば、特許文献１）。
また、同じボタンを操作する時間の長短によって、それぞれ動画及び静止画の記録操作を行うものが知られている（例えば、特許文献２）。
さらに、動画の撮影開始及び停止を操作するトリガースイッチの他に、静止画用の準備ボタンを備え、準備ボタンとトリガースイッチとを同時に操作することによって静止画のレリーズ操作を行うようにしたものが知られている（例えば、特許文献３）。
【０００３】
上述したようなデジタルカメラにおいて、動画撮影中に静止画を撮影する場合は、カメラボディに備えられた静止画撮影用のレリーズスイッチを、撮影者が操作することが一般的である。
しかし、この場合、撮影者が、例えばボタン式等のレリーズスイッチを操作する際に生ずる振動によって、カメラのブレが生ずる場合があり、動画データに像ブレが発生する場合があった。
これ以外にも、例えば動画撮影中に、撮影用レンズ群の焦点距離を変更するズームスイッチ等を操作することによっても、ブレが生ずる場合があった。
【特許文献１】特開平５−２９２４４４号公報
【特許文献２】特開平１０−２２９５３７号公報
【特許文献３】特開平８−２０５０１８号公報
【発明の開示】
【発明が解決しようとする課題】
【０００４】
本発明の課題は、動画撮影中に静止画撮影に関する機能を操作する際に、ブレが生ずることを防止したデジタルカメラを提供することである。
【課題を解決するための手段】
【０００５】
本発明は、以下のような解決手段により、前記課題を解決する。なお、理解を容易にするために、本発明の実施例に対応する符号を付して説明するが、本発明はこれに限定されるものではない。
【０００６】
請求項１の発明は、被写体の画像を取得する撮像素子部（１０）と、前記撮像素子部（１０）の出力に基づいて、動画データを生成する動画処理部（２０）と、前記動画処理部（２０）による前記動画データの生成と同時に、前記撮像素子部（１０）の出力に基づいて、静止画データを生成する静止画処理部（３０）と、近接センサ又は接触センサ（５１，５２，６１，６２）を有し、前記動画処理部（２０）の前記動画データ生成中に使用される所定の機能が設定されたスイッチ（５０，６０）とを備えるデジタルカメラ（１）である。
【０００７】
請求項２の発明は、請求項１に記載のデジタルカメラ（１）において、前記スイッチ（５０）は、前記動画データの生成中に静止画データを生成する際に操作される静止画用のレリーズスイッチであることを特徴とするデジタルカメラ（１）である。
請求項３の発明は、請求項２に記載のデジタルカメラ（１）において、前記レリーズスイッチ（５０）は、隣接して配置された複数の近接センサ又は接触センサ（５１，５２）を有し、入力を検出した近接センサ又は接触センサ（５１，５２）の数に応じて、前記静止画データを生成する機能と、異なった機能とがそれぞれ設定されていることを特徴とするデジタルカメラ（１）である。
請求項４の発明は、請求項２又は請求項３に記載のデジタルカメラ（１）において、前記レリーズスイッチ（５０）は、手持ちによる正位置撮影時に、撮影者が把持するグリップ部（２ａ）の表面、又は、その近傍する領域に配置されていることを特徴とするデジタルカメラ（１）である。
請求項５の発明は、請求項２から請求項４までのいずれか１項に記載のデジタルカメラ（１）において、前記レリーズスイッチ（５０）は、正位置撮影時に前記デジタルカメラ（１）をその撮影用レンズ群（Ｌ）の対物レンズ側からみたときに、前記対物レンズの光軸中心よりも上方かつ左側の領域であり、かつ、カメラボディ（２）の対物側、撮影者側、上面側の少なくとも１つの面部に配置されていることを特徴とするデジタルカメラ（１）である。
請求項６の発明は、請求項１から請求項５までのいずれか１項に記載のデジタルカメラ（１）において、前記スイッチ（５０，６０）の表面又は前記スイッチ（５０，６０）の周辺部に、凸部、凹部の少なくとも一方を形成したことを特徴とするデジタルカメラ（１）である。
【発明の効果】
【０００８】
本発明によれば、以下の効果を奏することができる。
（１）動画データ生成中に使用される機能が設定されたスイッチは、近接センサ又は接触センサを有するから、その操作時にカメラに振動が発生しないか、発生したとしても微小となるから、操作時におけるブレの発生を防止することができる。
（２）動画撮影中に操作される静止画用のレリーズスイッチは、近接センサ又は接触センサを有するから、静止画のレリーズ時におけるカメラのブレを防止することができる。
（３）静止画用のレリーズスイッチは、隣接する複数のセンサを有し、入力を検出したセンサの個数に応じて静止画データを生成する機能と異なった機能とをそれぞれ設定したから、例えば静止画用の撮影パラメータの変更等、静止画データの生成に先立って行う操作と、レリーズ操作とを連続的に操作性よく行うことができる。
（４）レリーズスイッチは、手持ちによる正位置撮影時に、撮影者が把持するグリップ部の表面、又は、その近傍する領域に配置され、あるいは、デジタルカメラをその撮影用レンズ群の対物レンズ側からみたときに、その光軸中心よりも上方かつ左側の領域であり、かつ、カメラボディの対物側、撮影者側、上面側の少なくとも１つの面部に配置されているから、撮影者がカメラを把持する手を放すことなく、例えば指先のみを動かすことによって操作できるから、操作性がよい。
なお、本明細書において、正位置とは、撮影用レンズ鏡筒の対物レンズの光軸を水平とし、長辺方向が水平に配置された矩形の画像を撮影するときのカメラの姿勢をいうものとする。
（５）スイッチの表面又はその周辺部に、凸部、凹部の少なくとも一方を形成しているから、撮影者が触覚によってスイッチの位置を判別でき、押し間違いを防止できる。
【発明を実施するための最良の形態】
【０００９】
本発明は、動画撮影中に静止画の撮影を行うレリーズ操作を、近接センサを用いて行うことによって上述した課題を解決する。
【実施例】
【００１０】
以下、図面等を参照して、本発明の実施例をあげて、さらに詳しく説明する。
図１は、本発明を適用したデジタルカメラの実施例の構成を示すブロック図である。また、図２は、実施例のデジタルカメラを正位置撮影時における上側から見た外観図であり、図３は、実施例のデジタルカメラを撮影者側から見た外観図である。
デジタルカメラ１は、ボディ２と、レンズ鏡筒３と、撮影用レンズ群Ｌと、撮像素子部１０と、動画処理部２０と、静止画処理部３０と、ＣＰＵ４０と、上部近接スイッチ部５０と、背面近接スイッチ部６０と、レリーズボタン７０と、モードダイアル８０と、ズームスイッチ９０と、十字キー１００と、動画録画ボタン１１０と、液晶表示装置（ＬＣＤ）１２０とを備えている。
【００１１】
ボディ２は、矩形の容器状に形成されており、通常、その正位置撮影時には、撮影用レンズ群Ｌの対物レンズ側から見て、左側の端部２ａ（２（ａ）(１)〜（３））が、グリップ部として、撮影者の右手によって把持される。
レンズ鏡筒３は、円筒状に形成され、ボディ２の被写体側の面から突き出して配置されている。
撮影用レンズ群Ｌは、その光軸Ｉを一致させて配列された図示しない複数のレンズを備え、その一部を構成するズーム用レンズ群の光軸方向に沿った移動によって、焦点距離が変化するズームレンズであり、レンズ鏡筒３に収容されている。
【００１２】
撮像素子部１０は、例えば、ＣＣＤやＣＭＯＳ等の光−電気変換素子を備え、撮影用レンズ群Ｌの像側に設けられ、結像された被写体像を逐次取得し、電気的な信号として出力するものである。
動画処理部２０は、撮像素子部１０の出力に基づいて、動画データを生成するものである。
静止画処理部３０は、撮像素子部１０の出力に基づいて、動画処理部２０の動画データの生成と並行して、静止画データを生成するものである。なお、この静止画データは、通常、動画データよりも高画素（高解像度）のデータとされる。
ＣＰＵ４０は、カメラ１の機能を総括的に制御する中央処理装置であって、上述したカメラ１内の各要素とそれぞれ接続されている。
【００１３】
上部近接スイッチ部５０は、例えば２つの近接センサ５１，５２を並列に配列したものであって、図２に示すように、正位置撮影時におけるボディ２の上面部に備えられる。近接センサは、例えば撮影者の指先等の物体が接近したか、非接触で検出できるセンサであり、例えば、非金属の対象物の検出が可能な静電容量型のものが用いられる。
上部近接スイッチ部５０は、撮影者側から見て、後述するレリーズスイッチ７０の左側に隣接して設けられ、この位置は、ボディ２の左右中心に対して、右側の領域に含まれる。
【００１４】
背面近接スイッチ６０は、上部近接スイッチ５０と同様に、例えば２つの近接センサ６１，６２を並列に配列したものであり、図３に示すように、正位置撮影時におけるボディ２の撮影者側の面に備えられる。
背面近接スイッチ６０は、撮影者側から見て、ボディ２の撮影者側の面の中心部よりも右上側の部分に配置されている。
【００１５】
レリーズボタン７０は、動画を撮影していない場合における静止画用のレリーズスイッチであり、押ボタンスイッチを備えている。レリーズボタン７０は、ボディ２の上面部に設けられ、撮影者側から見て、その右側の端部に配置されている。
【００１６】
モードダイアル８０は、ボディ２の上面部に備えられたロータリスイッチであって、動画撮影モード、静止画撮影モードの切り替えや、画像再生モードの選択、露光モードの変更等を操作するものである。モードダイアル８０は、ボディ２の上面部の後端縁に設けられ、撮影者側から見た左右方向においては、中央部から右側にずらした位置に配置されている。
【００１７】
ズームスイッチ９０は、ボディ２の撮影者側の面部に設けられ、撮影者側から見て、その右上側の端部に配置されている。
ズームスイッチ９０は、水平方向に配列された１対の押ボタンスイッチを備え、各押ボタンスイッチは、それぞれ撮影用レンズ群Ｌの焦点距離を伸縮する操作を行うものである。
【００１８】
十字キー１００は、ボディ２の撮影者側の面部に設けられ、上述したズームスイッチ９０の下側に配置されている。十字キー１００は、それぞれ上下左右方向に対応した４つの押ボタンを備え、例えば、フォーカスエリアの選択操作等を行うものである。
【００１９】
動画録画ボタン１１０は、ボディ２の撮影者側の面部に設けられ、上述した十字キー１００の左側に設けられている。動画録画ボタン１１０は、押ボタンスイッチを備え、上述したモードダイアル８０によって動画モードを選択した状態で動画録画ボタン１１０を操作することによって、動画データの生成開始及び終了を操作するものである。
【００２０】
ＬＣＤ１２０は、矩形の表示画面を備え、ボディ２の撮影者側の面部の撮影者から見て左側の領域に配置されている。ＬＣＤ１２０は、撮影済み画像のモニタや、メニュー画面の表示を行うものである。
【００２１】
次に、上述したデジタルカメラ１の操作方法について説明する。
＜１．静止画のみを撮影する場合＞
撮影者は、モードダイアル８０を操作して、静止画の撮影モードを選択した後、ＬＣＤ１２０に表示される画像をモニタして構図の設定を行なう。このとき、撮影者は、ズームスイッチ９０を操作することによって、撮影用レンズ群Ｌの焦点距離を変更することができる。
そして、レリーズボタン７０を、半押しすることによって、公知のオートフォーカス（ＡＦ）制御及び自動露出（ＡＥ）制御を行い、フォーカシングの終了後、レリーズボタン７０を全押しにすることによって、露光シーケンスが開始され、静止画処理部３０は、撮像素子部１０の出力に基づいて、静止画データを生成する。
【００２２】
＜２．動画を撮影する場合＞
撮影者は、モードダイアル８０を操作して、動画の撮影モードを選択した後、ＬＣＤ１２０に表示される画像をモニタして、撮影開始時における構図の設定を行う。
そして、撮影者が動画録画ボタン１１０を押圧することによって、動画処理部２０は、撮像素子部１０からの出力に基づいて、逐次更新される画像フレームデータ及び図示しないマイクロフォンによって収録される音声データを含む動画データの生成を開始する。
動画撮影中（動画データ生成中）に撮影用レンズ群Ｌの焦点距離を変更する場合、静止画撮影の場合と同様に、ズームスイッチ９０を操作してもよいが、予め所定の設定操作によって、背面近接スイッチ部６０にズーム機能を設定することによって、背面近接スイッチ部６０を操作することによっても焦点距離の変更をすることができる。
この場合、背面近接スイッチ部６０の近接センサ６１，６２にそれぞれ焦点距離を伸縮する機能を設定し、撮影者が、例えば指等を、いずれかの近接センサによって検出される位置にかざすことによって、焦点距離を変更することができる。
そして、撮影者が、再度動画録画ボタン１１０を押圧することによって、動画撮影は終了する。
【００２３】
＜３．動画の撮影中に静止画を撮影する場合＞
まず、上述した動画の撮影手順に従って、動画の撮影を開始する。
次に、撮影者が、例えば指等を、上部近接スイッチ５０の近接センサ５２によって検出される位置にかざすことによって、例えば、静止画の撮影に適した撮像パラメータへの切り替えが行われる。このとき、ＬＣＤ１２０には、この撮像パラメータの切替が行われたことを示す文字又は記号等の表示が行われるとともに、モニタ用の画像が一時静止する。
そして、撮影者が、指等を、近接センサ５１、５２がともに検出するようにかざすことによって、静止画用の露光シーケンスが開始され、静止画処理部２０は、静止画データを生成する。
【００２４】
以上のように、本実施例によれば、上部近接スイッチ５０は、近接センサ５１，５２を有し、これによって動画撮影中における静止画のレリーズ操作を行うようにしたから、静止画のレリーズに伴う動画の像ブレを防止することができる。
また、背面近接スイッチ６０は、近接センサ６１，６２を有し、これによってズーム操作を行うようにしたから、動画撮影中のズーミング操作による像ブレを防止することができる。
さらに、上部近接スイッチ５０は、複数の近接センサ５１，５２を備え、その１つを操作することによって撮像パラメータが静止画に適したものに切り替わり、２つを操作することによって静止画のレリーズがなされるようにしたから、これらの動作を連続的に操作性よく行うことができる。
さらにまた、上部近接スイッチ５０を、グリップ部として機能するボディ２の端部２ａの上端部であって、レリーズスイッチ７０と隣接して配置しているから、撮影者はボディ２を把持した掌はそのままに、指先の動作のみで操作することができ、操作性がよい。
【００２５】
（変形例）
本発明は、以上説明した実施例に限定されることなく、種々の変形や変更が可能であって、それらも本発明の均等の範囲内である。
（１）上述した実施例は、近接センサをスイッチに用いているが、これに代えて、接触センサを用いてもよい。この場合にも、押ボタンスイッチ等を用いる場合と比べて操作時の像ブレの発生を低減することができる。
また、接触スイッチを用いる場合にも、複数のセンサを近接して配置し、操作されたセンサの個数に応じて、異なった機能を設定するようにしてもよい。
さらに、ＬＣＤ等の表示パネルの表示面にタッチセンサを備え、いわゆるタッチパネルとしてもよい。
（２）上述した実施例は、上部近接スイッチの近接センサの１つを操作することによって、撮像パラメータの切替を行っているが、これに限らず、例えば、ＡＥロック、ＡＦロック等の他の機能を行うようにしてもよい。
また、背面近接スイッチに設定する機能も、焦点距離の変更に限らず、他の機能であってもよい。
（３）上述した実施例は、静止画のみを撮影するときに使用するレリーズスイッチ７０を設けているが、これを設けずに、静止画のみ撮影する場合にも、近接センサ又は接触スイッチによってレリーズ操作をするようにしてもよい。
（４）上述した実施例は、レリーズ操作に用いられる上部近接スイッチ部５０を、ボディ２の上面部のレリーズスイッチ７０と隣接した位置に設けるようにしているが、これに限定されない。このようなスイッチ部を配置する位置としては、撮影者がボディ２を把持した状態で、掌の位置を変えることなく、指を動かすことによって操作できる場所にすると、操作性がよく、かつ、操作時に手振れが発生しにくく好ましい。
例えば、正位置撮影時におけるデジタルカメラを、撮影用レンズ群の対物レンズ側から見た場合に、その光軸中心よりも上方かつ左側の領域であり、かつ、カメラボディの対物側、撮影者側、上面側の少なくとも１つの面部に配置すると、通常撮影者がカメラを把持する右手によって操作がしやすいからよい。この場合、カメラボディの対物側、上面側に配置した場合には、人差し指等によって容易に操作でき、また、背面側であれば、親指によって容易に操作することができる。
また、スイッチ部を、撮影者がボディを把持する側の手と反対側の手で操作する場合には、ボディのグリップ部とは反対側の側面部等に設けてもよい。
（５）近接センサ又は接触センサの表面又は周囲に、撮影者が触覚によって各センサの位置を把握できるようにし、操作ミス等をしにくくするために、凸部又は凹部の少なくとも一方を形成してもよい。
【図面の簡単な説明】
【００２６】
【図１】本発明を適用したデジタルカメラの実施例の構成を示すブロック図である。
【図２】図１のデジタルカメラを正位置撮影時における上側からみた外観図である。
【図３】図１のデジタルカメラを撮影者側から見た外観図である。
【符号の説明】
【００２７】
１    デジタルカメラ
２    ボディ
３    レンズ鏡筒
１０    撮像素子部
２０    動画処理部
３０    静止画処理部
４０    ＣＰＵ
５０    上部近接スイッチ部
６０    背面近接スイッチ部
７０    レリーズボタン
８０    モードダイアル
９０    ズームスイッチ
１００    十字キー
１１０    動画録画ボタン
１２０    液晶表示装置（ＬＣＤ）
Ｌ    撮影用レンズ群
Ｉ    光軸
【図１】
2006129339.tif 000003
【図２】
2006129339.tif 000004
【図３】
2006129339.tif 000005